(57)【要約】【課題】最大需要電力量（ピーク値）を低減するために、消費電力の挙動に対してどのような工夫を行えばよいかを容易に知ることができるようにする。【解決手段】貯湯式給湯機１は、ユーザが、リモコン装置５０の「メニュー／決定」スイッチ７５や十字キー７４等を用いてシフト処理の態様を所望に操作入力することで、シフト処理前の貯湯式給湯機１の消費電力実績値とシフト処理後の処理後実績値とが、表示部６０において対比可能に表示される。これにより、ユーザは、貯湯式給湯機１の消費電力の最大値の分布を含む消費電力の時間変動挙動の実績を視覚的に容易に知ることができ、シフト処理の処理態様を種々調節しつつ処理後実績値の表示内容を確認することで、家屋等における最大需要電力量（ピーク値）を低減するためにどのような態様でシフト処理を行えばよいか、を容易に比較検討できる。【選択図】図８
2018124031.tif 000002
【特許請求の範囲】
【請求項１】
湯水を貯湯する貯湯タンク、前記湯水の加熱を行う加熱手段を備え、前記加熱手段が前記貯湯タンク内の湯水を加熱する沸上運転を行う貯湯式給湯機において、
過去の特定期間において前記貯湯式給湯機が消費した、時間変動する消費電力実績値を決定する消費電力実績値決定手段と、
前記消費電力実績値に対し予め定められた電力分布変更処理を施した、処理後実績値を決定する処理後実績値決定手段と、
前記消費電力実績値と前記処理後実績値とを対比可能に表示する表示手段と、
前記電力分布変更処理の有無及び処理の態様のうち少なくとも前者を操作入力可能な操作手段と
を有する
ことを特徴とする貯湯式給湯機。
【請求項２】
前記表示手段は、
共通の１つの画面領域中に、前記処理後実績値をグラフで実体表示するとともに前記消費電力実績値をグラフで痕跡表示する
ことを特徴とする請求項１記載の貯湯式給湯機。
【請求項３】
前記表示手段は、同一広さ同一縮尺の左右２つの画面領域を備え、
それら２つの画面領域のうち、一方の画面領域中に前記消費電力実績値をグラフで表示するとともに、他方の画面領域中に前記処理後実績値をグラフで表示する
ことを特徴とする請求項１記載の貯湯式給湯機。
【請求項４】
前記表示手段は、同一広さ同一縮尺の上下２つの画面領域を備え、
それら２つの画面領域のうち、一方の画面領域中に前記消費電力実績値をグラフで表示するとともに、他方の画面領域中に前記処理後実績値をグラフで表示する
ことを特徴とする請求項１記載の貯湯式給湯機。
【請求項５】
前記表示手段は、
縦軸に時間、横軸に電力値をとって表す上下方向の棒グラフで、前記消費電力実績値及び前記処理後実績値を表示する
ことを特徴とする請求項１乃至請求項４の何れかに記載の貯湯式給湯機。
【請求項６】
前記表示手段は、
前記電力分布変更処理として、前記沸上運転の運転時間のシフト処理を施した後の前記処理後実績値と、前記シフト処理を施す前の前記消費電力実績値とを、対比可能に表示する
ことを特徴とする請求項１乃至請求項５の何れかに記載の貯湯式給湯機。
【請求項７】
前記表示手段は、
前記電力分布変更処理として、消費電力の最大値を所定値に制限するパワーセーブ処理を施した後の前記処理後実績値と、前記パワーセーブ処理を施す前の前記消費電力実績値とを、対比可能に表示する
ことを特徴とする請求項１乃至請求項６の何れかに記載の貯湯式給湯機。
【請求項８】
前記表示手段は、
前記電力分布変更処理として、特定時間帯の消費電力をゼロカットするピークカット処理を施した後の前記処理後実績値と、前記ピークカット処理を施す前の前記消費電力実績値とを、対比可能に表示する
ことを特徴とする請求項１乃至請求項７の何れかに記載の貯湯式給湯機。
【請求項９】
前記表示手段及び前記操作手段は、
前記貯湯式給湯機を手動操作可能な遠隔操作手段に設けられている
ことを特徴とする請求項１乃至請求項８の何れか１項記載の貯湯式給湯機。
【発明の詳細な説明】
【技術分野】
【０００１】
この発明は、貯湯タンク内の湯水を加熱する貯湯式給湯機に関するものである。
【背景技術】
【０００２】
従来よりこの種の貯湯式給湯機においては、特許文献１記載のように、貯湯タンク内の湯水を加熱する貯湯式給湯機において、ある１日における、時間変動する消費電力の実績値をグラフ表示するものがあった。
【先行技術文献】
【特許文献】
【０００３】
【特許文献１】特開２０１１−１７９８１０号公報
【発明の概要】
【発明が解決しようとする課題】
【０００４】
近年、電力会社の料金メニューにおいて、最大需要電力量（１年間のうちのピーク値）の大小で基本料金が決定される、いわゆる「実量制」の導入が行われつつある。このような制度においてユーザがランニングコストの低減を図るためには、貯湯式給湯機の消費する電力の時間変動挙動の実績、特に、消費電力の最大値がどの時間帯に分布していたか、等を知ることが肝要である。また、前記最大需要電力量（ピーク値）を低減するためには、前記のようにして知った消費電力の挙動に対してどのような工夫を行えばよいか、を容易に知ることができればさらに便利である。しかしながら、前記従来技術では、そのような点までは特に配慮されていないという問題があった。
【課題を解決するための手段】
【０００５】
上記課題を解決するために、本発明の請求項１では、湯水を貯湯する貯湯タンク、前記湯水の加熱を行う加熱手段を備え、前記加熱手段が前記貯湯タンク内の湯水を加熱する沸上運転を行う貯湯式給湯機において、過去の特定期間において前記貯湯式給湯機が消費した、時間変動する消費電力実績値を決定する消費電力実績値決定手段と、前記消費電力実績値に対し予め定められた電力分布変更処理を施した、処理後実績値を決定する処理後実績値決定手段と、前記消費電力実績値と前記処理後実績値とを対比可能に表示する表示手段と、前記電力分布変更処理の有無及び処理の態様のうち少なくとも前者を操作入力可能な操作手段とを有するものである。
【０００６】
また、請求項２では、前記表示手段は、共通の１つの画面領域中に、前記処理後実績値をグラフで実体表示するとともに前記消費電力実績値をグラフで痕跡表示するものである。
【０００７】
また、請求項３では、前記表示手段は、同一広さ同一縮尺の左右２つの画面領域を備え、それら２つの画面領域のうち、一方の画面領域中に前記消費電力実績値をグラフで表示するとともに、他方の画面領域中に前記処理後実績値をグラフで表示するものである。
【０００８】
また、請求項４では、前記表示手段は、同一広さ同一縮尺の上下２つの画面領域を備え、それら２つの画面領域のうち、一方の画面領域中に前記消費電力実績値をグラフで表示するとともに、他方の画面領域中に前記処理後実績値をグラフで表示するものである。
【０００９】
また、請求項５では、前記表示手段は、縦軸に時間、横軸に電力値をとって表す上下方向の棒グラフで、前記消費電力実績値及び前記処理後実績値を表示するものである。
【００１０】
また、請求項６では、前記表示手段は、前記電力分布変更処理として、前記沸上運転の運転時間のシフト処理を施した後の前記処理後実績値と、前記シフト処理を施す前の前記消費電力実績値とを、対比可能に表示するものである。
【００１１】
また、請求項７では、前記表示手段は、前記電力分布変更処理として、消費電力の最大値を所定値に制限するパワーセーブ処理を施した後の前記処理後実績値と、前記パワーセーブ処理を施す前の前記消費電力実績値とを、対比可能に表示するものである。
【００１２】
また、請求項８では、前記表示手段は、前記電力分布変更処理として、特定時間帯の消費電力をゼロカットするピークカット処理を施した後の前記処理後実績値と、前記ピークカット処理を施す前の前記消費電力実績値とを、対比可能に表示するものである。
【００１３】
また、請求項９では、前記表示手段及び前記操作手段は、前記貯湯式給湯機を手動操作可能な遠隔操作手段に設けられているものである。
【発明の効果】
【００１４】
この発明の請求項１によれば、貯湯式給湯機は、電力を用いて、加熱手段が貯湯タンク内の湯水を加熱する沸上運転を行う。そして、請求項１によれば、消費電力実績値決定手段と、処理後実績値決定手段と、が設けられる。消費電力実績値決定手段では、過去の特定期間（例えばある１日、等）における、時間変動する貯湯式給湯機の消費電力実績値が決定される。また処理後実績値決定手段では、前記消費電力実績値に、予め定められた電力分布変更処理（例えば沸上運転の運転時間を全体的にずらすシフト処理、消費電力の最大値を自動的に所定値に制限するように運転時間を再配分するパワーセーブ処理、特定時間帯における消費電力をゼロにカットするように運転時間を再配分するピークカット処理）を施して、処理後実績値を決定する。そして、このようにして決定された前記消費電力実績値（処理前の実績値）と、前記処理後実績値とが、表示手段において対比可能に表示される。またこのとき、前記電力分布変更処理の有無や、その処理の態様（例えば前記シフト処理においてずらす時間の値の大小、前記ピークカット処理を行う特定時間帯の指定）については、操作手段により所望に操作入力することができる。
【００１５】
これにより、ユーザは、貯湯式給湯機の消費電力の最大値の分布を含む消費電力の時間変動挙動の実績を、前記消費電力実績値によって視覚的に容易に知ることができる。さらに、適宜に前記操作手段を操作し、前記電力分布変更処理の処理態様を種々調節しつつ前記処理後実績値の表示内容を確認することで、どのような態様でどの処理を行えば前記最大需要電力量（ピーク値）を低減できるか、を容易に比較検討することができる。この結果、容易にランニングコストの低減を図ることができ、利便性を向上することができる。
【００１６】
また、請求項２によれば、１つの画面領域中に、消費電力実績値のグラフと処理後実績値のグラフとが両方表示されることで、ユーザが容易に視覚的に対比させることができる。
【００１７】
また、請求項３によれば、左右２つの画面領域を用いて、消費電力実績値のグラフが一方側に処理後実績値のグラフが他方側に表示されることで、ユーザが容易に視覚的に対比させることができる。
【００１８】
また、請求項４によれば、上下２つの画面領域を用いて、消費電力実績値のグラフが一方側に処理後実績値のグラフが他方側に表示されることで、ユーザが容易に視覚的に対比させることができる。
【００１９】
また、請求項５によれば、上下方向の棒グラフを横軸の時間軸に沿って並べた形で消費電力実績値及び処理後実績値を表示することで、電力値の時間変動を直感的にわかりやすく表現することができる。
【００２０】
また、請求項６によれば、消費電力実績値のグラフと、それに対し沸上運転の運転時間のシフト処理を行った後の処理後実績値のグラフとが、対比して表示される。これにより、ユーザは、どのような態様で消費電力実績値をシフトさせれば確実に前記最大需要電力量（ピーク値）を低減できるかを、容易に比較検討することができる。
【００２１】
また、請求項７によれば、消費電力実績値のグラフと、それに対し最大値を所定値に制限するパワーセーブ処理を行った後の処理後実績値のグラフとが、対比して表示される。これにより、ユーザは、前記最大需要電力量（ピーク値）を低減するためにパワーセーブ処理を行うか行わないか、容易に比較検討することができる。
【００２２】
また、請求項８によれば、消費電力実績値のグラフと、それに対し特定時間帯の消費電力をゼロカットするピークカット処理を行った後の処理後実績値のグラフとが、対比して表示される。これにより、ユーザは、前記最大需要電力量（ピーク値）を低減するためにどのような態様でピークカット処理を行えばよいか、を容易に比較検討することができる。
【００２３】
また請求項９によれば、遠隔操作手段に表示手段と操作手段との両方が設けられていることにより、ユーザは遠隔操作手段１つを把持し操作するだけで、どのような態様でどの処理を行えば前記最大需要電力量（ピーク値）を低減できるか、を容易に比較検討することができる。
【図面の簡単な説明】
【００２４】
【図１】本発明の一実施形態の貯湯式給湯機の全体概略構成図
【図２】リモコン装置の構成を表す外観図
【図３】制御装置及びリモコン装置の詳細機能を表す機能ブロック図
【図４】シフト処理を説明するために、貯湯式給湯機、エアコン、一般負荷の消費電力実績値の時間変動の一例を概念的に表した棒グラフ図
【図５】シフト処理前の、貯湯式給湯機、エアコン、一般負荷の消費電力実績値を概念的に表した棒グラフ図
【図６】シフト処理後の、貯湯式給湯機、エアコン、一般負荷の消費電力実績値を概念的に表した棒グラフ図
【図７】シフト処理前の消費電力実績値を表示部で表示した、リモコン装置の外観図
【図８】シフト処理前後の消費電力実績値を表示部で対比可能に表示した、リモコン装置の外観図
【図９】１つの画面中において左・右２つの領域で対比表示する変形例における、シフト処理前後の消費電力実績値を表示したリモコン装置の外観図
【図１０】１つの画面中において上・下２つの領域で対比表示する変形例における、シフト処理前後の消費電力実績値を表示したリモコン装置の外観図
【図１１】パワーセーブ処理を行う変形例における、処理前の消費電力実績値を表示部で表示したリモコン装置の外観図
【図１２】パワーセーブ処理を行う変形例における、処理前後の消費電力実績値を表示部で対比可能に表示したリモコン装置の外観図
【図１３】ピークカット処理及びシフト処理を行う変形例における、処理前の消費電力実績値を表示部で表示したリモコン装置の外観図
【図１４】ピークカット処理及びシフト処理を行う変形例における、処理前後の消費電力実績値を表示部で対比可能に表示したリモコン装置の外観図
【図１５】太陽光発電を用いる変形例における、貯湯式給湯機の全体概略構成図
【図１６】シフト処理前の消費電力実績値を表示部で表示した、リモコン装置の外観図
【図１７】シフト処理前後の消費電力実績値を表示部で対比可能に表示した、リモコン装置の外観図
【発明を実施するための形態】
【００２５】
次に、本発明の一実施の形態を図面に基づいて説明する。
【００２６】
本実施形態の給湯システムのシステム構成を図１に示す。図１において、本実施形態の給湯システム１００は、図示しない家屋等の建造物（特定の電力消費設備に相当）に設置されたヒートポンプ式の貯湯式給湯機１と、商用電源４９に接続された分電盤２と、前記貯湯式給湯機１以外の他の負荷を構成する、エアコン６やそれ以外の一般負荷４８と、ネットワーク通信網８と、サーバ９とを有している。
【００２７】
前記貯湯式給湯機１は、リモコン装置５０（遠隔操作手段に相当）と、湯水を貯湯する貯湯タンク１０と、前記貯湯タンク１０の底部に給水する給水管１１と、前記貯湯タンク１０の頂部から出湯する出湯管１２と、前記給水管１１から分岐した給水バイパス管１３と、前記出湯管１２からの湯と前記給水バイパス管１３からの水を、前記リモコン装置５０によって設定された給湯設定温度になるように混合する混合弁１４と、図示しない給湯端末に給湯する給湯管１５と、給湯流量を検出し対応する検出信号を出力する給湯流量センサ１６と、給湯温度を検出し対応する検出信号を出力する給湯温度センサ１７と、前記貯湯タンク１０内の湯水の貯湯温度を検出し対応する検出信号を出力する貯湯温度センサ１８とを有している。前記貯湯温度センサ１８は、貯湯タンク１０の側面に高さ位置を変えて複数個設けられている。これら複数の貯湯温度センサ１８のそれぞれは、例えば、十分に加熱された状態の湯の温度に対応して予め設定された、所定のしきい値以上の湯水温度を検出したとき、対応する検出信号を制御装置３１へ出力するように構成されている。これにより、前記複数の貯湯温度センサ１８のうち何個のセンサから前記検出信号が出力されているかに基づき、前記制御装置３１は、前記貯湯タンク１０内において十分に加熱された状態となっている湯の量（すなわち貯湯量）を検出することができる。
【００２８】
また、前記貯湯式給湯機１はさらに、前記貯湯タンク１０内の湯水を沸上目標温度に加熱するヒートポンプ装置１９（加熱手段に相当）を有している。このヒートポンプ装置１９は、冷媒を高温高圧に圧縮搬送する圧縮機２０と、前記高温の高圧の冷媒と前記貯湯タンク１０からの水との熱交換を行う水冷媒熱交換器２１と、前記水冷媒熱交換器２１で熱交換後の冷媒を減圧膨張させる膨張弁２２と、外気と低圧冷媒との熱交換を行い低圧冷媒を蒸発させる空気熱交換器２３と、前記空気熱交換器２３へ外気を送風する送風機２４と、前記圧縮機２０から吐出される前記冷媒の温度を検出し対応する検出信号を前記制御装置３１へ出力する吐出温度センサ２５と、外気温度を検出し対応する検出信号を前記制御装置３１へ出力する外気温度センサ３０とを備えている。
【００２９】
また、前記貯湯式給湯機１はさらに、貯湯式給湯機１全体の作動を制御する前記制御装置３１と、前記貯湯タンク１０の下部と前記水冷媒熱交換器２１の水側入口とを接続する加熱往き管２６と、水冷媒熱交換器２１の水側出口と前記貯湯タンク１０の上部とを接続する加熱戻り管２７と、前記加熱往き管２６の途中に設けられた加熱循環ポンプ２８と、前記加熱戻り管２７に設けられ検出信号を前記制御装置３１へ出力する沸上温度センサ２９とを有している。なお、前記の加熱往き管２６、加熱戻り管２７、及び加熱循環ポンプ２８により加熱循環回路が構成されている（以下適宜、単に「加熱循環回路２６，２７，２８」という）。
【００３０】
次に、前記リモコン装置５０の詳細構成を図２に示す。図２において、リモコン装置５０は、表示部６０（表示手段に相当）と、前記貯湯タンク１０から浴槽内への湯張りや湯張り後の湯の保温等を自動的に行うための「ふろ自動」スイッチ７１と、浴室内との通話を行うための「通話」スイッチ７２と、スピーカ７３と、前記給湯温度等の各種数値の＋側−側の操作設定や前記表示部６０内のカーソルの上向き・左向き・下向き・横向き移動操作を行うための十字キー７４と、「メニュー／決定」スイッチ７５と、手動操作により例えば夜間帯（後述）以外の昼間帯（後述）に沸上運転（以下適宜、「昼間沸上運転という。詳細は後述）を行って貯湯タンク１０内の前記貯湯量を所定量だけ増大させるための「タンク湯増し」スイッチ７６と、貯湯タンク１０内の前記貯湯量が予め定められた前記しきい値以下に減少したときに前記昼間沸増容量を沸き上げる前記自動湯増し機能を、手動操作により（操作当日のみ）休止させる、「湯増し休止」スイッチ７７と、予め用意された「節約（ｅｃｏ）モード」等の複数の運転モード（詳細な説明は省略）の説明を含む各種ガイドを前記表示部６０に表示させるための「ｅｃｏガイド」スイッチ７８と、前記表示部６０に表示される表示画面を１つ前の表示画面に戻すための「戻る」スイッチ７９とを有している。なお、前記のスイッチ７１，７２，７３，７５，７６，７７，７８，７９及び十字キー７４等を、以下適宜、単に操作部５１（操作手段に相当。後述の図３参照）と総称する。
【００３１】
表示部６０は、それぞれが所定の内容を表示する複数の表示画面を、切り替え可能に構成されている。図示の表示画面６０Ａでは、現在の日付及び時刻（この例では５月３１日金曜日の２２時３０分）を表示する日時表示部６１と、前記浴槽内の湯の温度（この例では４０℃）を表示するふろ温度表示部６２と、前記給湯温度（この例では４０℃）を表示する給湯温度表示部６３と、前記貯湯タンク１０内の前記貯湯量を表示する貯湯量表示部６４と、前記ネットワーク通信網８を介して前記サーバ９と接続されていることを表すネットワーク表示部６５と、前記複数のモードのうちいずれのモードとなっているか（この例では「おまかせ省エネ」モード。詳細内容は省略）を表すモード表示部６６とを有している。
【００３２】
前記貯湯量表示部６４は、表示制御部８０（後述の図３参照）の制御により、前記貯湯温度センサ１８の検出結果に対応して前記貯湯タンク１０内の前記貯湯量を表示する。図示の例では、前記貯湯量表示部６４は、５つの表示エレメント６４Ａ〜６４Ｅによって５段階に前記貯湯量を表示可能となっている。
【００３３】
図２に示す例では、家事や入浴時等の湯水の使用によって（前記日時表示部６１の２２時３０分の時刻表示参照）、貯湯タンク１０内の貯湯量が満タンの１／５程度にまで減少（前記貯湯量表示部６４の最下段の表示エレメント６４Ａのみが点灯）した場合を示している。本実施形態では、電力料金単価が安価な夜間帯（例えば２３：００〜７：００）に、前記商用電源４９から供給される電力を用いて、前記沸上運転（夜間沸上運転）を行う。
【００３４】
この夜間沸上運転は、公知の通常の手法により、制御装置３１により、例えば以下の（ａ）〜（ｆ）のような流れで行われる。
（ａ）まず、前日までの複数日の一日の使用湯量から翌日に必要な必要湯量を算出する。
（ｂ）その後、必要湯量からその時点での貯湯タンク内の残湯量を減算することで、（翌日に向けての）沸き上げ必要湯量を算出する。
（ｃ）そして、前記沸き上げ必要湯量を所定の加熱能力を有した加熱手段（この例では前記ヒートポンプ装置１９）で沸き上げるのに要する加熱時間を算出する。
（ｄ）その後、前記夜間時間帯の終了時刻付近の沸き上げ完了目標時刻から、前記算出された加熱時間だけ遡った時刻を、夜間沸き上げ開始時刻として算出する。
（ｅ）そして、前記夜間沸き上げ開始時刻となったら、前記ヒートポンプ装置１９により沸き上げを開始する。
（ｆ）その後、前記必要沸き上げ湯量を沸き上げるか、若しくは、前記沸き上げ完了目標時刻となったら、沸き上げを完了する。
【００３５】
ところで、近年、電力会社の料金メニューにおいて、家屋等において使用される最大需要電力量（１年間のうちのピーク値）の大小で基本料金が決定される、いわゆる「実量制」の導入が行われつつある。このような制度においてユーザがランニングコストの低減を図るためには、貯湯式給湯機１の消費する電力の時間変動挙動の実績、特に、消費電力の最大値がどの時間帯に分布していたか、等を知ることが肝要である。また、前記最大需要電力量（ピーク値）を低減するためには、前記のようにして知った消費電力の挙動に対してどのような工夫を行えばよいか、を容易に知ることができればさらに便利である。
【００３６】
そこで、本実施形態では、図３に示すように、前記制御装置３１に、消費電力実績値決定部８１（消費電力実績値決定手段に相当）と、処理後実績値決定部８２と、が設けられる。消費電力実績値決定部８１は、既に取得され適宜の箇所に記憶されていた過去の貯湯式給湯機１の消費電力値のうち、前記操作部５１での操作に対応した所望の特定期間（例えば操作された日の前日、等）における、時間変動する貯湯式給湯機１の消費電力値が表示される消費電力実績値として決定される。また処理後実績値決定部８２では、前記消費電力実績値決定部８１により決定された消費電力実績値に、予め定められた電力分布変更処理（この例では、沸上運転の運転時間をずらすシフト処理）を施して、処理後実績値を決定する。
【００３７】
前記シフト処理を行った後の前記沸上運転では、前記制御装置３１は、シフトさせる所望の運転時間の入力（詳細は後述）がされると、翌日の夜間沸き上げ運転において、その入力された時間だけ沸き上げ完了目標時刻をシフトさせる。
【００３８】
前記シフト処理について、図４〜図６を用いて説明する。図４は、横軸に「０時」「１時」「２時」・・「２３時」のように時刻が刻まれる時間軸をかつ縦軸に電力量［ｋＷｈ］を取り、過去のある１日における、前記貯湯式給湯機１の消費電力実績値、前記エアコン６の消費電力実績値、前記一般負荷４８の消費電力実績値、の時間変動の一例を概念的に表した棒グラフである。
【００３９】
図４に示すように、この例では、０時においては、一般負荷４８の消費電力実績値が０．９５［ｋＷｈ］であり、前記エアコン６及び前記貯湯式給湯機１の消費電力実績値は０となっており、結果としてそれら一般負荷４８、エアコン６、貯湯式給湯機１の合計の消費電力実績値（以下適宜、「全消費電力実績値」という）は０．９５［ｋＷｈ］となっている。
【００４０】
その後、時間の経過と共に、前記一般負荷４８の消費電力実績値が徐々に減少する一方、前記夜間沸上運転の実行と共に貯湯式給湯機１の消費電力実績値は徐々に増大し、１時においては、一般負荷４８の消費電力実績値が０．７［ｋＷｈ］であり、前記貯湯式給湯機１の消費電力実績値が０．４［ｋＷｈ］、前記エアコン６の消費電力実績値は０となっており、結果として前記全消費電力実績値は１．１［ｋＷｈ］に増大している。
【００４１】
その後、２時においては、前記一般負荷４８の消費電力実績値が０．３［ｋＷｈ］まで減少する一方、前記貯湯式給湯機１の消費電力実績値は１．６［ｋＷｈ］まで増大し、前記全消費電力実績値は１．９［ｋＷｈ］となっている。また３時においては、前記一般負荷４８の消費電力実績値が０．２５［ｋＷｈ］となる一方、前記貯湯式給湯機１の消費電力実績値は１．７５［ｋＷｈ］となり、前記全消費電力実績値は２［ｋＷｈ］となっている。さらに４時においては、前記一般負荷４８の消費電力実績値が再び増加して０．４５［ｋＷｈ］となる一方、前記貯湯式給湯機１の消費電力実績値は前記同様の１．７５［ｋＷｈ］となり、前記全消費電力実績値は２．２［ｋＷｈ］となっている。さらに５時においては、前記一般負荷４８の消費電力実績値がさらに増加して０．６５［ｋＷｈ］となる一方、前記貯湯式給湯機１の消費電力実績値は前記同様の１．７５［ｋＷｈ］となり、前記全消費電力実績値は２．４［ｋＷｈ］となっている。
【００４２】
その後、新たにエアコン６の使用が始まり、６時においては、エアコン６の消費電力実績値が１．１［ｋＷｈ］となる一方、前記貯湯式給湯機１の消費電力実績値が１．２［ｋＷｈ］、一般負荷４８の消費電力実績値が０．８［ｋＷｈ］となり、これらの合計の前記全消費電力実績値は３．１［ｋＷｈ］となり、この１日における消費電力実績値のピークを迎えている。
【００４３】
その後、貯湯式給湯機１の前記沸上運転が終了することで、７時においては、当該貯湯式給湯機１の消費電力実績値が０となり、エアコン６の消費電力実績値が１．０５［ｋＷｈ］、一般負荷４８の消費電力実績値が０．８［ｋＷｈ］となって、これらの合計の前記全消費電力実績値は１．８５［ｋＷｈ］まで一気に減少する。
【００４４】
さらにその後、前記エアコン６の運転も終了することで、８時においては、前記貯湯式給湯機１及び前記エアコン６の消費電力実績値がともに０となり、一般負荷４８の消費電力実績値が０．６［ｋＷｈ］となり、前記全消費電力実績値も０．６［ｋＷｈ］まで減少する。
【００４５】
その後、前記貯湯式給湯機１及び前記エアコン６の消費電力実績値が０の状態のまま、９時においては、一般負荷４８の消費電力実績値はさらに減少して０．４［ｋＷｈ］となり、前記全消費電力実績値も０．４［ｋＷｈ］となる。１０時においては一般負荷４８の消費電力実績値はさらに減少して０．２５［ｋＷｈ］となり、前記全消費電力実績値も０．２５［ｋＷｈ］となる。
【００４６】
その後、１１時及び１２時においては、一般負荷４８の消費電力実績値は０．２５［ｋＷｈ］のまま維持され、それぞれの前記全消費電力実績値も０．２５［ｋＷｈ］である。
【００４７】
その後、１３時で、一般負荷４８の消費電力実績値が若干増加して０．３５［ｋＷｈ］（前記全消費電力実績値も０．３５［ｋＷｈ］）となった後は、概ね横ばいであり、１４時で一般負荷４８の消費電力実績値は０．４［ｋＷｈ］（前記全消費電力実績値も０．４［ｋＷｈ］）、１５時で一般負荷４８の消費電力実績値は０．３［ｋＷｈ］（前記全消費電力実績値も０．３［ｋＷｈ］）となっている。
【００４８】
その後、夕方における各種家事等の実行により一般負荷４８の消費電力実績値は急激に増加し、１６時では２．２［ｋＷｈ］（前記全消費電力実績値も２．２［ｋＷｈ］）となった後、１７時では若干減少して１．４［ｋＷｈ］（前記全消費電力実績値も１．４［ｋＷｈ］）、１８時でも若干減少して１．１５［ｋＷｈ］（前記全消費電力実績値も１．１５［ｋＷｈ］）となる。
【００４９】
その後、入浴のために貯湯式給湯機１の手動操作による前記昼間沸上運転が実行される等により、貯湯式給湯機１の消費電力実績値が生じ、１９時においては、一般負荷４８の消費電力実績値が１．０５［ｋＷｈ］であり、前記貯湯式給湯機１の消費電力実績値が０．３５［ｋＷｈ］となり、結果として前記全消費電力実績値が１．４［ｋＷｈ］となっている。
【００５０】
その後、２０時においては、貯湯式給湯機１の消費電力実績値はさらに増大して前記貯湯式給湯機１の消費電力実績値が０．６［ｋＷｈ］となる一方、一般負荷４８の消費電力実績値は減少して０．８５［ｋＷｈ］となり、結果として前記全消費電力実績値は１．４５［ｋＷｈ］となっている。
【００５１】
その後、入浴等が終了することで、２１時においては、貯湯式給湯機１の消費電力実績値は再び０となる一方、一般負荷４８の消費電力実績値は再び増加して０．９５［ｋＷｈ］となり、前記全消費電力実績値も０．９５［ｋＷｈ］となっている。
【００５２】
その後、前記貯湯式給湯機１及び前記エアコン６の消費電力実績値が０の状態のまま、２２時においては、一般負荷４８の消費電力実績値はさらに減少して０．６５［ｋＷｈ］（前記全消費電力実績値も０．６５［ｋＷｈ］）となり、２３時においては、一般負荷４８の消費電力実績値は０．９［ｋＷｈ］（前記全消費電力実績値も０．９［ｋＷｈ］）となる。
【００５３】
図４に示した消費電力実績値の挙動において、例えば図５に示すように、ユーザの適宜の操作（詳細は後述）により、夜間沸上運転の作動時間を全体的に１時間シフト（前倒し）する場合を考える。この場合、前記した、１時頃から６時頃までにおける貯湯式給湯機１の消費電力実績値の時間挙動（１時において０．４［ｋＷｈ］、２時において１．６［ｋＷｈ］、３時において１．７５［ｋＷｈ］、４時において１．７５［ｋＷｈ］、５時において１．７５［ｋＷｈ］、６時において１．２［ｋＷｈ］）がそれぞれ１時間ずつ繰り上がることとなる。すなわち、０時頃から５時頃までにおける貯湯式給湯機１の消費電力実績値の時間挙動が、０時において０．４［ｋＷｈ］、１時において１．６［ｋＷｈ］、２時において１．７５［ｋＷｈ］、３時において１．７５［ｋＷｈ］、４時において１．７５［ｋＷｈ］、５時において１．２［ｋＷｈ］となる。
【００５４】
この結果、前記１時間のシフト後における、前記貯湯式給湯機１、前記エアコン６、及び前記一般負荷４８それぞれの消費電力実績値の時間変動は、図６に示すように、０時においては、前記一般負荷４８の消費電力実績値が０．９５［ｋＷｈ］、前記貯湯式給湯機１の消費電力実績値が０．４［ｋＷｈ］となる結果、前記全消費電力実績値は１．３５［ｋＷｈ］となる。
【００５５】
同様に、１時においては、前記一般負荷４８の消費電力実績値が０．７［ｋＷｈ］、前記貯湯式給湯機１の消費電力実績値が１．６［ｋＷｈ］となり、前記全消費電力実績値は２．３［ｋＷｈ］となる。さらに、２時においては、前記一般負荷４８の消費電力実績値が０．３［ｋＷｈ］、前記貯湯式給湯機１の消費電力実績値が１．７５［ｋＷｈ］となり、前記全消費電力実績値は２．０５［ｋＷｈ］となり、３時においては、前記一般負荷４８の消費電力実績値が０．２５［ｋＷｈ］、前記貯湯式給湯機１の消費電力実績値が１．７５［ｋＷｈ］となり、前記全消費電力実績値は２［ｋＷｈ］となる。４時においては、前記一般負荷４８の消費電力実績値が０．４５［ｋＷｈ］、前記貯湯式給湯機１の消費電力実績値が１．７５［ｋＷｈ］となり、前記全消費電力実績値は２．２［ｋＷｈ］となり、５時においては、前記一般負荷４８の消費電力実績値が０．６５［ｋＷｈ］、前記貯湯式給湯機１の消費電力実績値が１．２［ｋＷｈ］となり、前記全消費電力実績値は１．８５［ｋＷｈ］となる。また６時においては、前記一般負荷４８の消費電力実績値が０．８［ｋＷｈ］、前記エアコン６の消費電力実績値が１．１［ｋＷｈ］となり、前記全消費電力実績値は１．９［ｋＷｈ］となる。なお、７時以降の消費電力実績値の挙動については図４と同様である。
【００５６】
前記シフト処理の前の図４においては、対応する図５に示すように、全消費電力実績値のピーク値は、６時における３．１［ｋＷｈ］となっている。これに対して、前記シフト処理を行った後の図６においては、全消費電力実績値のピーク値は１時における２．３［ｋＷｈ］となる。以上のように、図４〜図６に示した例では、貯湯式給湯機１の夜間沸上運転時の運転時間をずらす前記シフト処理を行うことで（当該貯湯式給湯機１の消費電力実績値をずらすことができ、その結果）、前記家屋等における前記全消費電力実績値のピーク値を低減することができる。
【００５７】
そして、本実施形態では、最大の特徴として、前記制御装置３１の前記表示制御部８０（前記の図３参照）の制御により、前記のような電力分布変更処理（この例ではシフト処理）前の貯湯式給湯機１の消費電力実績値（前記消費電力実績値決定部８１により決定）と、前記シフト処理後の貯湯式給湯機１の消費電力の前記処理後実績値（前記処理後実績値決定部８２により決定）とが、前記表示部６０において対比可能に表示される。そのような例を、図７及び図８により説明する。
【００５８】
図７は、前記した図２に示した表示画面６０Ａが前記表示部６０に表示された状態でユーザが適宜の操作（例えば前記のスイッチ７１，７２，７３，７５，７６，７７，７８，７９及び十字キー７４の少なくとも１つを操作）を行うことで、（前記表示画面６０Ａに代えて）シフト処理設定画面６０Ｐが前記表示部６０に表示された状態を示している。このシフト処理設定画面６０Ｐでは、図示のように、１つのグラフ表示領域８３（１つの画面領域に相当）と、前記沸上運転をシフトする時間（設定時間）を例えば整数単位で設定可能なシフト時間設定領域８５と、操作ガイドメッセージ表示領域８４と、を備えている。
【００５９】
前記シフト時間設定領域８５は、ユーザが例えば前記「メニュー／決定」スイッチ７５や十字キー７４を適宜に操作してカーソルを当該領域８２内の▲印や▼印に合わせた後、前記十字キー７４で前記設定時間の数字を増減させて所望の値を設定し、さらに前記「メニュー／決定」スイッチ７５を押すことで、前記設定時間を所望に設定することができる。図示の例では、前記設定時間が「０」時間、すなわちシフト処理が行われない状態を示しており、これに対応して前記グラフ表示領域８３の上部には、「現在の設定は０時間です」のメッセージが併せて表示されている。言い替えれば、このシフト時間設定領域８５においては、前記十字キー７４や前記「メニュー／決定」スイッチ７５によって前記電力分布変更処理としてのシフト処理の有無を選択できることになる。
【００６０】
前記グラフ表示領域８３は、前記図４〜図６と同様、横軸に時間軸を縦軸に電力量［ｋＷｈ］を取り、ユーザが適宜の操作により指定した過去のある１日における前記貯湯式給湯機１の消費電力の時間変動をグラフ（この例では棒グラフ）で表示する領域である。このとき、図示のように前記設定時間が「０」の場合は、シフト処理が行われない値（前記消費電力実績値）がそのまま表示され、それ以外の場合には、前記設定時間の値に応じて前記シフト処理がなされた値（前記処理後実績値）が表示される。図７に示すグラフ表示Ｇ１は、前記図４〜図６に示した例に沿っており（後述の図８のグラフ表示Ｇ１′も同様）、前記設定時間「０」の設定（すなわちシフト処理なし）に対応し、  前記貯湯式給湯機１の消費電力実績値が、０時で０［ｋＷｈ］、１時で０．４［ｋＷｈ］、２時で１．６［ｋＷｈ］、３時で１．７５［ｋＷｈ］、４時で１．７５［ｋＷｈ］、５時で１．７５［ｋＷｈ］、６時で１．２［ｋＷｈ］、７時〜９時で０［ｋＷｈ］となる、前記グラフ表示Ｇ１が表示されている。
【００６１】
前記操作ガイドメッセージ表示領域８４は、前記のようなシフト時間設定領域８５等の操作ガイドを表示するものであり、図示の例では、「（上三角マーク）（下三角マーク）で選択」「（右三角マーク）で確認」「［メニュー／決定］で決定」の３つのメッセージが表示されている。
【００６２】
図８は、前記した図７に示した前記シフト処理設定画面６０Ｐが前記表示部６０に表示された状態で、ユーザが前記「メニュー／決定」スイッチ７５及び十字キー７４を用いてシフト時間設定領域８５での前記設定時間を「１」時間とすることで、表示部６０に前記シフト処理設定画面６０Ｑが表示された場合を示している。
【００６３】
このシフト処理設定画面６０Ｑでは、前記図７のシフト処理設定画面６０Ｐと同様、１つのグラフ表示領域８３（１つの画面領域に相当）と、前記シフト時間設定領域８５と、操作ガイドメッセージ表示領域８４′と、を備えている。
【００６４】
グラフ表示領域８３には、前記設定時間「０」から前記設定時間「１」へ設定の変更がなされたことに対応し、前述した前記貯湯式給湯機１の消費電力実績値の時間変動が１時間ずれた（前倒し）態様の前記処理後実績値が表示される。すなわち、０時で０．４［ｋＷｈ］、１時で１．６［ｋＷｈ］、２時で１．７５［ｋＷｈ］、３時で１．７５［ｋＷｈ］、４時で１．７５［ｋＷｈ］、５時で１．２［ｋＷｈ］、６時以降で０［ｋＷｈ］となる、グラフ表示Ｇ２が表示（後述のような破線ではない実体表示）されている。
【００６５】
一方このとき、グラフ表示領域８３には、シフト処理前の図７の前記グラフ表示Ｇ１に対応するグラフ表示Ｇ１′が、図７とは異なる破線の棒グラフとして痕跡表示される。これにより、このシフト処理設定画面６０Ｑには、貯湯式給湯機１の前記消費電力実績値（処理前の実績値）と前記処理後実績値とが、１つのグラフ表示領域８３内において対比可能に表示されることとなる。なお、図示を省略しているが、シフト時間設定領域８５での前記設定時間をその他の時間として場合も前記と同様の表示がグラフ表示領域８３において行われ、例えば「２」時間とすることで、２時間ずれた内容のグラフ表示Ｇ２が前記実体表示されるとともに、シフト処理前のグラフ表示Ｇ１′が前記痕跡表示される。
【００６６】
なお、シフト処理前のグラフ表示Ｇ１′が痕跡表示されるのに代え、直前のグラフ表示が痕跡表示されるようにしてもよい。すなわち、図７に示す状態から、まず最初に前記設定時間を「１」時間とした後、さらに前記設定時間を「２」時間に変更した場合には、１時間ずれた内容の前記グラフ表示Ｇ２が前記痕跡表示されるとともに、２時間ずれた内容の前記グラフ表示Ｇ２が前記実体表示されるようにしてもよい。あるいはこの場合、シフト処理前の前記グラフ表示Ｇ１′（痕跡表示）、１時間ずれた内容の前記グラフ表示Ｇ２（痕跡表示又は実体表示）、２時間ずれた内容の前記グラフ表示Ｇ２（実体表示）、の３つ（さらに４つ以上でもよい）を対比可能に表示しても良い。さらに、痕跡表示するものと実体表示するものを適宜に変更しても良い。また、図示及び詳細な説明を省略するが、前記のように前倒しのシフト処理を行う場合（前記の例ではシフト時間設定領域８５において正の整数を設定）に限られず、例えば前記シフト時間設定領域８５において負の整数を設定することで、先送り方向に前記シフト処理を行うことも可能である。
【００６７】
なお、前記操作ガイドメッセージ表示領域８４′には、図示の例では、「（上三角マーク）（下三角マーク）で選択」「（左三角マーク）で戻る」「［メニュー／決定］で決定」の３つのメッセージが表示されている。また、前記設定時間の「１」時間設定に対応し、前記グラフ表示領域８３の上部に、「現在の設定は１時間です」のメッセージが併せて表示されている。
【００６８】
以上説明したように、本実施形態の貯湯式給湯機１によれば、電力分布変更処理（この例では前記シフト処理。以下同様）前の貯湯式給湯機１の前記消費電力実績値と前記処理後実績値とが、前記表示部６０において対比可能に表示される。このとき、電力分布変更処理の有無や、その処理の態様（前述の例ではシフト処理においてずらす時間の値の大小）については、前記リモコン装置５０によりユーザが所望に操作入力することができる（電力分布変更処理を行う特定時間帯の指定などを操作可能としても良い）。
【００６９】
これにより、ユーザは、貯湯式給湯機１の消費電力の最大値の分布を含む消費電力の時間変動挙動の実績を、前記消費電力実績値によって視覚的に容易に知ることができる（図７参照）。さらに、適宜に前記「メニュー／決定」スイッチ７５や十字キー７４等を操作し、前記シフト処理の前記処理態様を種々調節しつつ前記処理後実績値の表示内容を確認（図８参照）することで、前記最大需要電力量（ピーク値）を低減するためにどのような態様で前記シフト処理を行えばよいか、を容易に比較検討することができる。この結果、容易にランニングコストの低減を図ることができ、利便性を向上することができる。
【００７０】
また、本実施形態では特に、前記消費電力実績値のグラフと、それに対し沸上運転の運転時間のシフト処理を行った後の前記処理後実績値のグラフとが、対比して表示される。これにより、ユーザは、どのような態様で消費電力実績値をシフトさせれば確実に前記最大需要電力量（ピーク値）を低減できるかを、容易に比較検討することができる。
【００７１】
また、本実施形態では特に、１つのグラフ表示領域８３中に、消費電力実績値のグラフと処理後実績値のグラフとが両方表示される（図８参照）。これにより、ユーザが容易に視覚的に対比させることができる。
【００７２】
また、本実施形態では特に、上下方向の棒グラフを横軸の時間軸に沿って並べた形で、前記消費電力実績値及び前記処理後実績値を表示する（図７及び図８参照）。これにより、電力値の時間変動を直感的にわかりやすく表現することができる。
【００７３】
また、本実施形態では特に、前記リモコン装置５０に、表示手段としての前記表示部６０と、操作手段としての前記十字キー７４及び前記「メニュー／決定」スイッチ７５等、の両方が設けられている。これにより、ユーザはリモコン装置５０を把持し操作するだけで、どのような態様でどの処理を行えば前記最大需要電力量（ピーク値）を低減できるか、を容易に比較検討することができる。
【００７４】
なお、本発明は以上の態様に限定されることなく、その趣旨を変更しない範囲で適用可能なものである。以下、そのような変形例を順を追って説明する。各変形例において、前記実施形態と同等の部分には同一の符号を付し、適宜、説明を省略又は簡略化する。
【００７５】
（１）１つの画面中において左・右２つの領域で対比表示する場合
この変形例を図９に示す。図９において、この変形例では、表示部６０にシフト処理設定画面６０Ｒが表示され、このシフト処理設定画面６０Ｒには、互いに同一縮尺・同一広さである左・右２つのグラフ表示領域８３ａ，８３ｂ（左右２つの画面領域に相当）と、前記シフト時間設定領域８５と、が備えられている。
【００７６】
一方（この例では左側）のグラフ表示領域８３ａには、前記図７と同様、前記設定時間が「０」（すなわちシフト処理なし）の状態に対応した前記貯湯式給湯機１の消費電力実績値（０時で０［ｋＷｈ］、１時で０．４［ｋＷｈ］、２時で１．６［ｋＷｈ］、３時で１．７５［ｋＷｈ］、４時で１．７５［ｋＷｈ］、５時で１．７５［ｋＷｈ］、６時で１．２［ｋＷｈ］、・・）の前記グラフ表示Ｇ１が表示されている。
【００７７】
他方（この例では右側）のグラフ表示領域８３ｂには、前記図８と同様、シフト時間設定領域８５における前記設定時間が「１」であることに対応した、シフト処理後の前記貯湯式給湯機１の消費電力実績値（０時で０．４［ｋＷｈ］、１時で１．６［ｋＷｈ］、２時で１．７５［ｋＷｈ］、３時で１．７５［ｋＷｈ］、４時で１．７５［ｋＷｈ］、５時で１．２［ｋＷｈ］、６時で０［ｋＷｈ］、・・）の前記グラフ表示Ｇ２が表示されている。
【００７８】
なお、グラフ表示領域８３ａとグラフ表示領域８３ｂとの間には、シフト処理前からシフト処理後への流れを表記する矢印（この例では右向きブロック矢印）が表示されている。
【００７９】
本変形例においても、前記実施形態と同様の効果を得る。特に、左・右２つのグラフ表示領域８３ａ，８３ｂを用いて、消費電力実績値のグラフが一方側に、処理後実績値のグラフが他方側に表示されることで、ユーザが容易に視覚的に対比させることができる。
【００８０】
（２）１つの画面中において上・下２つの領域で対比表示する場合
この変形例を図１０に示す。図１０において、この変形例では、表示部６０にシフト処理設定画面６０Ｓが表示され、このシフト処理設定画面６０Ｓに、互いに同一縮尺・同一広さである上・下２つのグラフ表示領域８３ｃ，８３ｄ（上下２の画面領域に相当）と、前記シフト時間設定領域８５と、が備えられている。
【００８１】
一方（この例では上側）のグラフ表示領域８３ｃには、前記図７と同様、前記設定時間が「０」（すなわちシフト処理なし）の状態に対応した前記貯湯式給湯機１の消費電力実績値（０時で０［ｋＷｈ］、１時で０．４［ｋＷｈ］、２時で１．６［ｋＷｈ］、３時で１．７５［ｋＷｈ］、４時で１．７５［ｋＷｈ］、５時で１．７５［ｋＷｈ］、６時で１．２［ｋＷｈ］、・・）の、前記グラフ表示Ｇ１に対応するグラフ表示Ｇ３が表示されている。なお、本変形例においては、夜間帯における夜間沸上運転の作動時間のみならず、夕方における手動操作による昼間沸上運転の作動時間（１９時で０．３５［ｋＷｈ］、２０時で０．６［ｋＷｈ］。前記図４参照）もシフト処理の対象となっており、前記グラフ表示Ｇ３にはそれらの値も前記消費電力実績値として表示されている。
【００８２】
他方（この例では下側）のグラフ表示領域８３ｄには、前記図８と同様、シフト時間設定領域８５における前記設定時間が「１」であることに対応した、シフト処理後の前記貯湯式給湯機１の消費電力実績値（０時で０．４［ｋＷｈ］、１時で１．６［ｋＷｈ］、２時で１．７５［ｋＷｈ］、３時で１．７５［ｋＷｈ］、４時で１．７５［ｋＷｈ］、５時で１．２［ｋＷｈ］、６時で０［ｋＷｈ］、・・、１８時で０．３５［ｋＷｈ］、１９時で０．６［ｋＷｈ］、・・）の、前記グラフ表示Ｇ２に対応するグラフ表示Ｇ４が表示されている。
【００８３】
なお、グラフ表示領域８３ｃとグラフ表示領域８３ｄとの間に、図９と同様の、シフト処理前からシフト処理後への流れを表記する矢印等を追加して表示してもよい。
【００８４】
本変形例においても、前記実施形態と同様の効果を得る。特に、上・下２つのグラフ表示領域８３ｃ，８３ｄを用いて、消費電力実績値のグラフが一方側に、処理後実績値のグラフが他方側に表示されることで、ユーザが容易に視覚的に対比させることができる。
【００８５】
なお、前記（１）（２）の変形例においても、前記実施形態と同様、（図示を省略しているが）シフト時間設定領域８５での前記設定時間をその他の時間として場合も前記と同様の表示がグラフ表示領域８３ｂ，８３ｄにおいて行われる。例えば前記設定時間を「２」時間とすることで、２時間ずれた内容のグラフ表示Ｇ２，Ｇ４が表示される。また、グラフ表示領域８３ａ，８３ｃにおいてシフト処理前のグラフ表示Ｇ１，Ｇ３が痕跡表示されるのに代え、直前のグラフ表示が痕跡表示されるようにしてもよい。すなわち、前記と同様、まず最初に前記設定時間を「１」時間とした後、さらに前記設定時間を「２」時間に変更した場合には、１時間ずれた内容の前記グラフ表示Ｇ２，Ｇ４がグラフ表示領域８３ａ，８３ｃに表示されるとともに、２時間ずれた内容の前記グラフ表示Ｇ２，Ｇ４が前記グラフ表示領域８３ｂ，８３ｄに表示されるようにしてもよい。あるいはこの場合、シフト処理前の前記グラフ表示Ｇ１，Ｇ３、１時間ずれた内容の前記グラフ表示Ｇ２，Ｇ４、２時間ずれた内容の前記グラフ表示Ｇ２，Ｇ４、の３つ（さらに４つ以上でもよい）を対比可能に複数段表示しても良い。また、図示及び詳細な説明を省略するが、前記のように前倒しのシフト処理を行う場合（前記の例ではシフト時間設定領域８５において正の整数を設定）に限られず、例えば前記シフト時間設定領域８５において負の整数を設定することで、先送り方向に前記シフト処理を行うことも可能である。
【００８６】
（３）パワーセーブ処理を行う場合
本変形例では、前記電力分布変更処理として、消費電力の最大値を自動的に所定値に制限するように運転時間を再配分するパワーセーブ処理が行われる。すなわち、前記制御装置３１は、前記夜間沸き上げ運転における加熱手段（この例ではヒートポンプ装置１９）の所定の加熱能力を、低い値に制限する。その結果、前記した夜間沸上運転の流れにおける前記（ｃ）のステップの加熱時間が長い時間となって算出され、その分だけ前記（ｄ）のステップにおける前記夜間沸き上げ開始時刻が早まるものである。このパワーセーブ処理を行う変形例を図１１及び図１２により説明する。
【００８７】
まず図１１において、この変形例では、前記した図２に示した表示画面６０Ａが前記表示部６０に表示された状態でユーザが適宜の操作（例えば前記のスイッチ７１，７２，７３，７５，７６，７７，７８，７９及び十字キー７４の少なくとも１つを操作）を行うことで、（前記表示画面６０Ａに代えて）パワーセーブ処理設定画面６０Ｔが前記表示部６０に表示された状態を示している。このパワーセーブ処理設定画面６０Ｔでは、図示のように、１つのグラフ表示領域８３（１つの画面領域に相当）と、前記パワーセーブ処理を行うか行わないかを設定可能なパワーセーブ設定領域８６と、前記同様の操作ガイドメッセージ表示領域８４と、を備えている。
【００８８】
前記パワーセーブ設定領域８６は、ユーザが例えば前記「メニュー／決定」スイッチ７５や十字キー７４を適宜に操作してカーソルを当該領域８６内の▲印や▼印に合わせた後、前記十字キー７４で、パワーセーブ処理を行うための「する」及びパワーセーブ処理を行わないための「しない」のいずれかに設定し、さらに前記「メニュー／決定」スイッチ７５を押すことで、前記パワーセーブ処理を行うか行わないかに所望に設定することができる。図示の例では、前記「しない」に設定、すなわちパワーセーブ処理が行われない状態を示しており、これに対応して前記グラフ表示領域８３の上部には、「現在の設定は［しない］です」のメッセージが併せて表示されている。言い替えれば、このパワーセーブ設定領域８６においては、前記十字キー７４や前記「メニュー／決定」スイッチ７５によって前記電力分布変更処理としてのパワーセーブ処理の有無を選択できることになる。
【００８９】
前記グラフ表示領域８３は、前記図４〜図６と同様、横軸に時間軸を縦軸に電力量［ｋＷｈ］を取り、ユーザが適宜の操作により指定した過去のある１日における前記貯湯式給湯機１の消費電力の時間変動をグラフ（この例では棒グラフ）で表示する領域である。このとき、図示のように「しない」の場合は、パワーセーブ処理が行われない値（前記消費電力実績値）がそのまま表示され、「する」の場合には、前記パワーセーブ処理がなされた値（前記処理後実績値）が表示される。図１１に示すグラフ表示Ｇ１は、前記図７と同様、前記図４〜図６に示した例に沿っており、前記パワーセーブ処理なしに対応し、前記貯湯式給湯機１の消費電力実績値が、０時で０［ｋＷｈ］、１時で０．４［ｋＷｈ］、２時で１．６［ｋＷｈ］、３時で１．７５［ｋＷｈ］、４時で１．７５［ｋＷｈ］、５時で１．７５［ｋＷｈ］、６時で１．２［ｋＷｈ］、７時〜９時で０［ｋＷｈ］となる、前記グラフ表示Ｇ１が表示されている。
【００９０】
図１２は、前記した図１１に示した前記パワーセーブ処理設定画面６０Ｔが前記表示部６０に表示された状態で、ユーザが前記「メニュー／決定」スイッチ７５及び十字キー７４を用いてシフト時間設定領域８５での前記設定時間を「１」時間とすることで、表示部６０にパワーセーブ処理設定画面６０Ｕが表示された場合を示している。
【００９１】
このパワーセーブ処理設定画面６０Ｕでは、前記図１１のシフト処理設定画面６０Ｔと同様、１つのグラフ表示領域８３（１つの画面領域に相当）と、前記パワーセーブ設定領域８６と、前記と同様の操作ガイドメッセージ表示領域８４′と、を備えている。
【００９２】
グラフ表示領域８３には、前記「しない」から前記「する」へ設定の変更がなされたことに対応し、前述した前記貯湯式給湯機１の消費電力実績値の時間変動の最大値が所定値（この例では例えば定格値の所定割合としての１．２［ｋＷ］）に制限された態様で前記処理後実績値が表示される。すなわち、前記した２時の１．６［ｋＷｈ］、３時の１．７５［ｋＷｈ］、４時の１．７５［ｋＷｈ］、５時の１．７５［ｋＷｈ］がそれぞれ１．２［ｋＷ］に低減され、かつ、これに対応して、１時の０．４［ｋＷｈ］が１．２［ｋＷ］に、０時の０［ｋＷ］が１［ｋＷ］に増大されたグラフ表示Ｇ５が表示（後述のような破線ではない実体表示）されている。
【００９３】
一方このとき、グラフ表示領域８３には、シフト処理前の図１１の前記グラフ表示Ｇ１に対応するグラフ表示Ｇ１′が、図７とは異なる破線の棒グラフとして痕跡表示される。これにより、このシフト処理設定画面６０Ｕには、貯湯式給湯機１の前記消費電力実績値（処理前の実績値）と前記処理後実績値とが、１つのグラフ表示領域８３内において対比可能に表示されることとなる。なお、前記グラフ表示Ｇ５において、前記グラフ表示Ｇ１と比べて新たに増えた部分について、それ以外とは異なる態様（例えば点滅等）で表示するようにしてもよい。    
【００９４】
本変形例においても、前記実施形態と同様の効果を得る。すなわち、ユーザは、貯湯式給湯機１の消費電力の最大値の分布を含む消費電力の時間変動挙動の実績を、前記消費電力実績値によって視覚的に容易に知ることができる（図１１参照）。そして、適宜に前記「メニュー／決定」スイッチ７５や十字キー７４等を操作し、前記パワーセーブ処理を行うか行わないかを適宜切り替えつつ前記処理後実績値の表示内容を確認（図１２参照）することで、前記最大需要電力量（ピーク値）を低減するために前記パワーセーブ処理を行うか行わないか、を容易に比較検討することができる。この結果、容易にランニングコストの低減を図ることができ、利便性を向上することができる。
【００９５】
（４）ピークカット処理を行う場合
すなわち、本変形例では、前記電力分布変更処理として、特定時間帯の沸上動作に伴って発生する消費電力をゼロカットするピークカット処理が行われる。そのような変形例を図１３及び図１４により説明する。なお、本変形例では、ピークカット処理と、前記実施形態において説明した前記シフト処理とを併せて行う場合を例にとって行うが、ピークカット処理のみを単独で行うようにしてもよい。
【００９６】
このピークカット処理では、公知の通常の手法により、制御装置３１により、以下の（ｇ）〜（ｊ）の処理が行われる。
（ｇ）まず、ユーザの適宜の操作によって設定された時間帯における、前記貯湯式給湯機１の消費電力を取得する。
（ｈ）その後、前記取得された消費電力を、所定の換算式によって湯量に換算する。
（ｉ）そして、前記換算された湯量を、翌日の前記設定された時間帯以前となる夜間時間帯の必要沸上湯量に加算する。
（ｊ）前記加算後の必要沸上湯量を用いて、前記夜間沸上運転の計算を行う。
【００９７】
まず図１３において、この変形例では、前記した図２に示した表示画面６０Ａが前記表示部６０に表示された状態でユーザが適宜の操作（例えば前記のスイッチ７１，７２，７３，７５，７６，７７，７８，７９及び十字キー７４の少なくとも１つを操作）を行うことで、（前記表示画面６０Ａに代えて）ピークカット処理設定画面６０Ｖが前記表示部６０に表示された状態を示している。このピークカット処理設定画面６０Ｖでは、図示のように、前記図１０の前記グラフ表示領域８３ｃと同等のグラフ表示領域８３ｅと、前記シフト時間設定領域８５と同様の機能となるシフト時間設定領域８７と、ピークカット時間帯設定領域８８と、操作ガイドメッセージ表示領域８９と、が備えられている。
【００９８】
前記シフト時間設定領域８７は、ユーザが例えば前記「メニュー／決定」スイッチ７５や十字キー７４を適宜に操作してカーソルを当該領域８７内の▲印や▼印に合わせた後、前記十字キー７４で前記設定時間の数字を増減させて所望の値を設定し、さらに前記「メニュー／決定」スイッチ７５を押すことで、シフト処理における前記設定時間を所望に設定することができる。図示の例では、前記設定時間が「０」時間、すなわちシフト処理が行われない状態（図中のハイフン「−」参照）を示している。言い替えれば、このシフト時間設定領域８７においては、前記十字キー７４や前記「メニュー／決定」スイッチ７５によって前記電力分布変更処理としてのシフト処理の有無を選択できることになる。
【００９９】
前記ピークカット時間帯設定領域８８は、ユーザが例えば前記「メニュー／決定」スイッチ７５や十字キー７４を適宜に操作してカーソルを当該領域８８内の▲印や▼印に合わせた後、前記十字キー７４で前記ピークカット処理を開始する開始時刻及び終了する終了時刻を表す数字を増減させて所望の値に設定し、さらに前記「メニュー／決定」スイッチ７５を押すことで、ピークカット処理における前記特定の時間帯を所望に設定することができる。図示の例では、前記開始時刻及び終了時刻が未設定（図中のハイフン「−」参照）、すなわちピークカット処理が行われない状態を示している。言い替えれば、このピークカット時間帯設定領域８８においては、前記十字キー７４や前記「メニュー／決定」スイッチ７５によって前記電力分布変更処理としてのピークカット処理の有無を選択できることになる。
【０１００】
グラフ表示領域８３ｅには、前記グラフ表示領域８３ｃと同様、横軸に時間軸を縦軸に電力量［ｋＷｈ］を取り、ユーザが適宜の操作により指定した過去のある１日における前記貯湯式給湯機１の消費電力の時間変動をグラフ（この例では棒グラフ）で表示する領域である。このとき、図示のように前記設定時間が「０」かつ前記ピークカット処理の開始時刻・終了時刻未設定の場合は、シフト処理及びピークカット処理が行われない値（前記消費電力実績値）がそのまま表示され、それ以外の場合には、前記設定時間の値に応じた前記シフト処理及び前記ピークカット処理の開始時刻・終了時刻の値に応じた前記ピークカット処理、のうち少なくとも一方がなされた値（前記処理後実績値）が表示される。この例では、前記設定時間「０」（すなわちシフト処理なし）及び前記ピークカット処理の開始時刻・終了時刻未設定の状態に対応した前記貯湯式給湯機１の消費電力実績値（０時で０［ｋＷｈ］、１時で０．４［ｋＷｈ］、２時で１．６［ｋＷｈ］、３時で１．７５［ｋＷｈ］、４時で１．７５［ｋＷｈ］、５時で１．７５［ｋＷｈ］、６時で１．２［ｋＷｈ］、・・、１９時で０．３５［ｋＷｈ］、２０時で０．６［ｋＷｈ］、・・）の、前記グラフ表示Ｇ３に対応するグラフ表示Ｇ６が表示されている。
【０１０１】
前記操作ガイドメッセージ表示領域８９は、前記のようなシフト時間設定領域８７やピークカット時間帯設定領域８８等の操作ガイドを表示するものであり、図示の例では、「（右三角マーク）で確認」のメッセージが表示されている。
【０１０２】
図１４は、前記した図１３に示した前記ピークカット処理設定画面６０Ｖが前記表示部６０に表示された状態で、ユーザが前記「メニュー／決定」スイッチ７５及び十字キー７４を用いてシフト時間設定領域８７での前記設定時間を「１」時間とし、かつピークカット時間帯設定領域８８での前記開始時刻を「１７」時で前記終了時刻を「１９」時とすることで、表示部６０に前記ピークカット処理設定画面６０Ｗが表示された場合を示している。
【０１０３】
このピークカット処理設定画面６０Ｗでは、前記図１３のピークカット処理設定画面６０Ｖと同様、１つのグラフ表示領域８３ｆと、前記シフト時間設定領域８７と、前記ピークカット時間帯設定領域８８と、操作ガイドメッセージ表示領域８４′と、を備えている。
【０１０４】
前記グラフ表示領域８３ｆには、前記設定時間「０」から前記設定時間「１」へ設定変更、及び、前記開始時刻「１７」時及び前記終了時刻「１９」時への設定がなされたことに対応し、前述した前記貯湯式給湯機１の消費電力実績値の時間変動が１時間ずれ（前倒しされ）、かつ、１７：００〜１９：００の時間帯における消費電力値をゼロカットするピークカット処理がなされた態様の前記処理後実績値が表示される。すなわち、０時で０．４［ｋＷｈ］、１時で１．６［ｋＷｈ］、２時で１．７５［ｋＷｈ］、３時で１．７５［ｋＷｈ］、４時で１．７５［ｋＷｈ］、５時で１．２［ｋＷｈ］、６時以降で０［ｋＷｈ］（前記図１３での１９時の０．３５［ｋＷｈ］、２０時の０．６［ｋＷｈ］に相当する部分を含む）となる、グラフ表示Ｇ７が表示）されている。
【０１０５】
一方このとき、グラフ表示領域８３ｆには、前記シフト処理及びピークカット処理前の図１３の前記グラフ表示Ｇ６に対応するグラフ表示Ｇ６′が、図１３とは異なる破線の棒グラフとして痕跡表示される。これにより、このシフト処理設定画面６０Ｗには、貯湯式給湯機１の前記消費電力実績値（処理前の実績値）と前記処理後実績値とが、１つのグラフ表示領域８３ｆ内において対比可能に表示されることとなる。
【０１０６】
前記操作ガイドメッセージ表示領域８９′には、図示の例では、「（左三角マーク）で戻る」のメッセージが表示されている。
【０１０７】
本変形例においても、前記実施形態と同様の効果を得る。すなわち、ユーザは、貯湯式給湯機１の消費電力の最大値の分布を含む消費電力の時間変動挙動の実績を、前記消費電力実績値によって視覚的に容易に知ることができる（図１３参照）。そして、適宜に前記「メニュー／決定」スイッチ７５や十字キー７４等を操作し、前記ピークカット処理の前記処理態様を種々調節しつつ前記処理後実績値の表示内容を確認（図１４参照）することで、前記最大需要電力量（ピーク値）を低減するためにどのような態様で前記ピークカット処理を行えばよいか、を容易に比較検討することができる。この結果、容易にランニングコストの低減を図ることができ、利便性を向上することができる。
【０１０８】
（５）各部位の機能の置き換え
以上において、消費電力実績値決定部８１が、既に取得され適宜の箇所に記憶されていた過去の貯湯式給湯機１の消費電力値から所望の特定期間での前記消費電力実績値を決定するのに代え、貯湯式給湯機１外の適宜の箇所（例えば前記サーバ９）において、記憶されていた過去の貯湯式給湯機１の消費電力値から、所望の特定期間での前記消費電力実績値が算出（特定）されていたものを、当該貯湯式給湯機１外の適宜の箇所から取得することで決定するようにしてもよい。同様に、処理後実績値決定部８２が、前記のようにして決定された消費電力実績値に前記電力分布変更処理を施して処理後実績値を算出（決定）するのに代え、前記のようにして決定された消費電力実績値に対して貯湯式給湯機１外の適宜の箇所（例えば前記サーバ９）で前記電力分布変更処理を施し処理後実績値が算出されていたものを、当該貯湯式給湯機１外の適宜の箇所から取得することで決定するようにしてもよい。すなわち本明細書中の「決定」には、自ら算出（特定）するものと、自らは算出することなく他の部位により算出（特定）されたものを取得するもの、との両方が含まれるものである。
【０１０９】
また、表示部６０の表示画面６０Ａの備える表示機能を、貯湯式給湯機１におけるリモコン装置５０以外の他の部位、例えば制御装置３１に設けた適宜のディスプレイ（この場合の表示手段に相当）が備えていても良い。あるいは、前記表示制御部８０と同等の機能を備えた表示制御部（この場合の表示制御手段に相当）をリモコン装置５０に設け、前記表示部６０に対し前記と同様の表示制御を行うようにしてもよい。その場合、前記消費電力実績値決定部８１及び前記処理後実績値決定部８２のうちの少なくとも一方を、前記リモコン装置５０に設けるようにしても良い。
【０１１０】
（６）太陽光発電を用いる場合
本実施形態の給湯システム１００において、太陽光発電装置３を追加して設け、当該太陽光発電装置３で発電した電力を用いて前記沸上運転を行うようにしても良い。本変形例における給湯システム１００′のシステム構成を、前記図１に対応する図１５に示す。図１５において、本変形例の給湯システム１００′では、前記家屋の屋根等に設置された太陽光発電パネル４、及び、太陽光発電パネル４の発電電力を交流電源に変換し前記分電盤２へ供給するインバータ５を備えた前記太陽光発電装置３と、前記家屋の家庭内の電力マネジメントを行うためのＨＥＭＳ（＝Ｈｏｍｅ  Ｅｎｅｒｇｙ  Ｍａｎａｇｅｍｅｎｔ  Ｓｙｓｔｅｍ）機器７と、が新たに設けられる。
【０１１１】
前記ＨＥＭＳ機器７は、前記貯湯式給湯機１、前記太陽光発電装置３、及び前記分電盤２に双方向に通信可能に接続されている。これにより、ＨＥＭＳ機器７は、貯湯式給湯機１の使用状況や太陽光発電装置３の発電電力情報や分電盤２の分岐回路ごとの消費電力量の情報を収集可能となっている。またＨＥＭＳ機器７は、さらに前記ネットワーク通信網８を介し前記サーバ機器９に接続され、必要な情報を相互にやりとり可能となっている。なお、ＨＥＭＳ機器７が太陽光発電装置３との間の通信により前記発電電力情報を収集するのに代え、ＨＥＭＳ機器７が、分電盤２への発電電力の入力あるいは分電盤３と商用電源４９との間の電力の授受を監視することで、太陽光発電装置３の発電電力情報を収集するようにしても良い。
【０１１２】
前記構成において、日照条件が良好な場合、前記太陽光発電装置３は、前記太陽光発電パネル４で太陽光を受光して発電を行い、前記貯湯式給湯機１が、この太陽光発電装置３で発電された電力を用いて前記昼間帯において沸上運転を行う。日照条件があまり良好でない場合には、前記太陽光発電装置３は太陽光の受光による十分な発電を行うことができないことから、前記と同様、前記貯湯式給湯機１は前記夜間帯において前記商用電源４９から供給される電力を用いて、前記沸上運転を行う。
【０１１３】
本変形例においても、前記実施形態と同様、例えば、電力分布変更処理（この例ではシフト処理）前の貯湯式給湯機１の前記昼間帯での沸上運転時の消費電力実績値と、前記シフト処理後の貯湯式給湯機１の前記昼間帯での沸上運転時の消費電力の前記処理後実績値とが、前記表示部６０において対比可能に表示される。そのような例を、図１６及び図１７により説明する。
【０１１４】
図１６は、前記した図２に示した表示画面６０Ａが前記表示部６０に表示された状態でユーザが適宜の操作（例えば前記のスイッチ７１，７２，７３，７５，７６，７７，７８，７９及び十字キー７４の少なくとも１つを操作）を行うことで、（前記表示画面６０Ａに代えて）シフト処理設定画面６０Ｘが前記表示部６０に表示された状態を示している。このシフト処理設定画面６０Ｘでは、図示のように、１つの前記グラフ表示領域８３′（１つの画面領域に相当）と、前記沸上運転をシフトする時間（設定時間）を例えば整数単位で設定可能な前記シフト時間設定領域８５と、前記操作ガイドメッセージ表示領域８４と、を備えている。
【０１１５】
図示する前記シフト時間設定領域８５は、前記実施形態と同等の機能を備えるものであり、図示の例では、前記設定時間が「０」時間、すなわちシフト処理が行われない状態を示している。
【０１１６】
前記グラフ表示領域８３′は、前記実施形態のグラフ表示領域８３と同等の機能を備えており、横軸に時間軸を縦軸に電力量［ｋＷｈ］を取り、ユーザが適宜の操作により指定した過去のある１日における前記貯湯式給湯機１の消費電力の時間変動をグラフ（この例では棒グラフ）で表示する領域である。このとき、図示のように前記設定時間が「０」の場合は、シフト処理が行われない値（前記消費電力実績値）がそのまま表示され、それ以外の場合には、前記設定時間の値に応じて前記シフト処理がなされた値（前記処理後実績値）が表示される。図１６に示す例では、前記設定時間「０」の設定（すなわちシフト処理なし）に対応し、前記太陽光発電での電力を利用する前記貯湯式給湯機１の消費電力実績値が、１０時までは０［ｋＷｈ］、１１時〜１４時で１．５［ｋＷｈ］、１５時以降で０［ｋＷｈ］となる、グラフ表示Ｇ８が表示されている。
【０１１７】
図１７は、前記した図１６に示した前記シフト処理設定画面６０Ｘが前記表示部６０に表示された状態で、ユーザが前記「メニュー／決定」スイッチ７５及び十字キー７４を用いてシフト時間設定領域８５での前記設定時間を「１」時間とすることで、表示部６０に前記シフト処理設定画面６０Ｙが表示された場合を示している。
【０１１８】
このシフト処理設定画面６０Ｙでは、前記図１６のシフト処理設定画面６０Ｙと同様、１つのグラフ表示領域８３′（１つの画面領域に相当）と、前記シフト時間設定領域８５と、操作ガイドメッセージ表示領域８４′と、を備えている。
【０１１９】
グラフ表示領域８３′には、前記設定時間「０」から前記設定時間「１」へ設定の変更がなされたことに対応し、前述した前記貯湯式給湯機１の消費電力実績値の時間変動が１時間ずれた（前倒し）態様の前記処理後実績値が表示される。すなわち、９時までは０［ｋＷｈ］、１０時〜１３時で１．５［ｋＷｈ］、１４時以降で０［ｋＷｈ］となる、グラフ表示Ｇ９が表示（後述のような破線ではない実体表示）されている。
【０１２０】
一方このとき、グラフ表示領域８３′には、シフト処理前の図１６の前記グラフ表示Ｇ８に対応するグラフ表示Ｇ８′が、図１６とは異なる破線の棒グラフとして痕跡表示される。これにより、このシフト処理設定画面６０Ｙには、貯湯式給湯機１の前記消費電力実績値（処理前の実績値）と前記処理後実績値とが、１つのグラフ表示領域８３′内において対比可能に表示されることとなる。なお、図示を省略しているが、シフト時間設定領域８５での前記設定時間をその他の時間として場合も前記と同様の表示がグラフ表示領域８３′において行われ、例えば「２」時間とすることで、２時間ずれた内容のグラフ表示Ｇ９が前記実体表示されるとともに、シフト処理前のグラフ表示Ｇ８′が前記痕跡表示される。
【０１２１】
なお、前記の実施形態と同様、シフト処理前のグラフ表示Ｇ８′が痕跡表示されるのに代え、直前のグラフ表示が痕跡表示されるようにしてもよい。すなわち、図１６に示す状態から、まず最初に前記設定時間を「１」時間とした後、さらに前記設定時間を「２」時間に変更した場合には、１時間ずれた内容の前記グラフ表示Ｇ９が前記痕跡表示されるとともに、２時間ずれた内容の前記グラフ表示Ｇ９が前記実体表示されるようにしてもよい。あるいはこの場合、シフト処理前の前記グラフ表示Ｇ８′（痕跡表示）、１時間ずれた内容の前記グラフ表示Ｇ９（痕跡表示又は実体表示）、２時間ずれた内容の前記グラフ表示Ｇ９（実体表示）、の３つ（さらに４つ以上でもよい）を対比可能に表示しても良い。さらに、痕跡表示するものと実体表示するものを適宜に変更しても良い。また、図示及び詳細な説明を省略するが、前記のように前倒しのシフト処理を行う場合（前記の例ではシフト時間設定領域８５において正の整数を設定）に限られず、例えば前記シフト時間設定領域８５において負の整数を設定することで、先送り方向に前記シフト処理を行うことも可能である。
【０１２２】
本変形例においては、太陽光発電装置３で発電した電力を用いて前記沸上運転を行う場合であっても、前記の実施形態と同様の効果を得ることができる。
【０１２３】
なお、太陽光発電を用いる本変形例に対し、前記（１）（２）（３）（４）（５）の変形例による手法をさらに適用しても良い。この場合、各変形例と同様の効果を得ることができる。
【０１２４】
（７）その他
以上において、例えばヒートポンプ装置１９に代えて、電気ヒータ式の加熱手段を用いても良いものである。
【符号の説明】
【０１２５】
１                貯湯式給湯機
１０              貯湯タンク
１９              ヒートポンプ装置（加熱手段）
２６              加熱往き管（加熱循環回路）
２７              加熱戻り管（加熱循環回路）
２８              加熱循環ポンプ（加熱循環回路）
３１              制御装置
４８              一般負荷
４９              商用電源
５０              リモコン装置（遠隔操作手段）
６０              表示部（表示手段）
７１              「ふろ自動」スイッチ（操作手段）
７２              「通話」スイッチ（操作手段）
７４              十字キー（操作手段）
７５              「メニュー／決定」スイッチ（操作手段）
７６              「タンク湯増し」スイッチ（操作手段）
７７              「湯増し休止」スイッチ（操作手段）
７８              「ｅｃｏガイド」スイッチ（操作手段）
７９              「戻る」スイッチ（操作手段）
８０              表示制御部（表示制御手段）
８１              消費電力実績値決定部（消費電力実績値決定手段）
８２              処理後実績値決定部（処理後実績値決定手段）
８３              グラフ表示領域（１つの画面領域）
８３′            グラフ表示領域（１つの画面領域）
８３ａ，８３ｂ    グラフ表示領域（左右２つの画面領域）
８３ｃ，８３ｄ    グラフ表示領域（上下２つの画面領域）
１００            給湯システム
Ｇ１〜Ｇ９        グラフ表示
Ｇ１′            グラフ表示
Ｇ１″            グラフ表示
Ｇ６′            グラフ表示
Ｇ８′            グラフ表示
【図１】
2018124031.tif 000003
【図２】
2018124031.tif 000004
【図３】
2018124031.tif 000005
【図４】
2018124031.tif 000006
【図５】
2018124031.tif 000007
【図６】
2018124031.tif 000008
【図７】
2018124031.tif 000009
【図８】
2018124031.tif 000010
【図９】
2018124031.tif 000011
【図１０】
2018124031.tif 000012
【図１１】
2018124031.tif 000013
【図１２】
2018124031.tif 000014
【図１３】
2018124031.tif 000015
【図１４】
2018124031.tif 000016
【図１５】
2018124031.tif 000017
【図１６】
2018124031.tif 000018
【図１７】
2018124031.tif 000019